(57)【特許請求の範囲】
【請求項１】
下方が開放されたキャビネットと、
前記キャビネットの下方にて該キャビネットの内外へ昇降する昇降ラックとを含み、
前記キャビネットは、
レンジフードに隣接して配置された不燃性の側板と、
前記側板の端面を取り巻くフレーム材と、
前記不燃性の側板の内側に配置されるフレーム支持板と、
前記フレーム材の内周に設けられるＬ字型組立用金具とを有し、
前記側板の表面は、前記フレーム材と実質的に面一になっていて、
前記フレーム支持板は、前記Ｌ字型組立用金具に当接することにより前記フレーム材を支持することを特徴とするキッチン用昇降式吊戸棚。
【請求項２】
前記側板は、前記フレーム材が形成する枠体に収容されていることを特徴とする請求項１に記載のキッチン用昇降式吊戸棚。
【請求項３】
前記不燃性の側板は、火山性ガラス質複層板であることを特徴とする請求項１または２に記載のキッチン用昇降式吊戸棚。
【請求項４】
前記フレーム材は、前記側板がなくとも前記キャビネットを支持する剛性を有することを特徴とする請求項１から３までのいずれかに記載のキッチン用昇降式吊戸棚。
【発明の詳細な説明】
【技術分野】
【０００１】
本発明は、システムキッチンの上方の壁面に設けられる吊戸棚であって、内部に昇降ラックを収納するキッチン用昇降式吊戸棚に関するものである。
【背景技術】
【０００２】
昨今のシステムキッチンには、シンク下など以外にも収納スペースを確保するため、システムキッチンの上方の空いている空間を有効活用し、かかる空間に吊戸棚や収納庫を配置するものがある。しかし、かかる高所に設けられた吊戸棚や収納庫から被収納物を出し入れするのは煩雑な作業である。そこで、被収納物の出し入れを容易にするために、たとえば下方を開放したキャビネット内に昇降自在の昇降ラックを設けた昇降式吊戸棚が提案されている（例えば特許文献１）。
【０００３】
システムキッチンは典型的には、シンク、調理スペースおよびコンロで構成されている。これは、シンクで洗い、調理スペースで切った食材をコンロで加熱するという一連の作業を円滑化するためのレイアウトである。そして昇降式吊戸棚はシンクや調理スペースの上方に設けられるのが一般的である。これは、コンロの上方にはレンジフードがあって昇降式吊戸棚を設置できない一方、シンクや調理スペースの上方に設置してキッチン使用者の目の高さまで被収納物を下降させることができれば、キッチン使用者にとって便利だからである。したがって昇降式吊戸棚は、必然的に、コンロの上方のレンジフードと隣接するレイアウトとなることが多い。
【０００４】
そして昇降式吊戸棚のうち、レンジフードと隣接する側の側板は、不燃性の材料とする必要がある（例えば特許文献２）。これは、火災予防条例や消防法の規制によるものであり、例えば東京都では、不燃板の厚さを９ｍｍ以上とする必要がある。側板をかかる不燃板とすることにより、火気を扱うコンロに近い側板から引火して火災が発生することが防止される。
【特許文献１】特開２００４−１８７７６８号公報
【特許文献２】特開平９−８４６４１号公報
【発明の開示】
【発明が解決しようとする課題】
【０００５】
しかし、レンジフードと昇降式吊戸棚とは、上記の法規制により、火災予防上安全な距離を保つことを義務付けられている。したがって、不燃化粧板が介在する分だけ、吊戸棚の収納スペースは幅方向に侵食されてしまっていた。不燃化粧板の厚さは１５ｍｍ程度とはいえ、キッチンの定型的なレイアウトのなかで、この１５ｍｍ幅のスペースの喪失は影響が大きい。
【０００６】
本発明はこのような課題に鑑み、法規上の規制を満たしつつ、限られた空間を効率的に利用して収納スペースを従来より多く確保するキッチン用昇降式吊戸棚を提供することを目的とする。
【課題を解決するための手段】
【０００７】
上述の課題を解決するために、本発明によるキッチン用昇降式吊戸棚のある構成では、下方が開放されたキャビネットと、キャビネットの下方にてキャビネットの内外へ昇降する昇降ラックとを含み、キャビネットは、レンジフードに隣接して配置された不燃性の側板と、側板の端面を取り巻くフレーム材と、不燃性の側板の内側に配置されるフレーム支持板と、フレーム材の内周に設けられるＬ字型組立用金具とを有し、側板の表面は、フレーム材と実質的に面一になっていて、フレーム支持板は、Ｌ字型組立用金具に当接することによりフレーム材を支持することを特徴とする。
【０００８】
上記の構成では、側板は、ほとんどフレーム材と同一平面を構成するほど、フレーム材が形成する枠体に収容されていて、不必要に突出していず、余計なスペースを必要としない。
【０００９】
また、上述のような面一の構成によれば、キッチン用昇降式吊戸棚がレンジフードに隣接して配置される場合、レンジフードから側板までの距離と、レンジフードからフレーム材までの距離は、実質的に等しい。
【００１０】
したがって、不燃性の側板を介在させるという法規上の規制を満たしつつ、限られた空間を効率的に利用して収納スペースを従来より多く確保することができる。
【００１１】
また、上記の不燃性の側板は、火山性ガラス質複層板としてよい。コンロからの引火を防ぎ、また、法規上の不燃材料としても認められているからである。その他、不燃性の側板は、ステンレスやメラミン化粧板としてもよい。
【００１２】
さらに、上記のフレーム材は、側板がなくともキャビネットを支持する剛性を有するとよい。かかる特徴によれば、キャビネットのうち、レンジフードが隣接しない反対側には、側板を取り付ける必要はない。
【００１３】
すなわち、不燃ボード製の側板は、法規上の規制を満たすため、レンジフードに隣接する側にのみ設ければよく、側板をオプションとして扱うことが可能となる。したがって側板は、昇降式吊戸棚を設置するキッチンの設置現場に、単体として搬入可能であり、必要に応じて、必要な場所にだけ、現場で取り付けることができる。
【発明の効果】
【００１４】
本発明によれば、法規上の規制を満たしつつ、限られた空間を効率的に利用して収納スペースを従来より多く確保でき、キャビネットの剛性も保持できるキッチン用昇降式吊戸棚を提供できる。
【発明を実施するための最良の形態】
【００１５】
次に添付図面を参照して本発明によるキッチン用昇降式吊戸棚の実施形態を詳細に説明する。図中、本発明に直接関係のない要素は図示を省略する。また、同様の要素は同一の参照符号によって表示する。なお、以下の実施形態に示す寸法、材料、その他具体的な数値などは、発明の理解を容易とするための例示に過ぎず、特に断る場合を除き、本発明を限定するものではない。
【００１６】
本実施形態の特徴は、キッチン用昇降式吊戸棚の側板およびその周辺のフレーム材等の構造にあるが、それらに先んじて、まず、キッチン用昇降式吊戸棚の外観および駆動機構について説明する。図１は、本発明の実施形態であるキッチン用昇降式吊戸棚（以下「吊戸棚」と略称する）およびシステムキッチンの全体図である。吊戸棚１００は、その被収納物をキッチン使用者の目の高さまで下ろし、高所にある扉を開閉することなく被収納物を取り出せるようにしたものである。
【００１７】
本実施形態に係る吊戸棚１００の下方には、システムキッチン１１０が設置されている。システムキッチン１１０は、シンク１３０、調理スペース１４０およびコンロ１５０の概ね３つの部位で構成されている。かかるシステムキッチン１１０のうち、シンク１３０および調理スペース１４０の幅にわたる領域の上方において、吊戸棚１００は、壁５００に背面を固定支持されている。一方、火気を扱うコンロ１５０の上方には、吊戸棚１００に隣接して、レンジフード１６０が同様に壁５００に固定支持されている。
【００１８】
吊戸棚１００は、下方が開放されたキャビネット１７０と、キャビネット１７０の下方にてキャビネット１７０の内外へ昇降する昇降ラック１８０とを含む。昇降ラック１８０は収納部を有し、前面の大部分が開放されていて、食器や台所回りの物品を出し入れすることができる。
【００１９】
キャビネット１７０の前面には上扉１７２と下扉１７４とが配置されていて、昇降ラック１８０が下降してキャビネット１７０の下方に出現するときは、これと連動して下扉１７４が上方へ移動する。
【００２０】
以下に昇降ラック１８０と、下扉１７４とを連動させる駆動機構について説明する。図２は、図１の昇降ラック１８０の駆動機構を示した図である。図２では明確化のため、下扉１７４は図示を省略している。
【００２１】
まず、モータ１９０の回転によって、水平方向に左右に２条の幅広ベルト２００が巻き出される。これらのベルトは、キャビネット１７０の両側板の近傍に固定設置された転向プーリ２１０（定滑車）によって垂直方向に転向され、端部はそれぞれ昇降ラック１８０に固定されたプーリ（動滑車）を巻回して、キャビネット１７０の上方に固定されている。したがって、駆動モータ１９０の回転によって、昇降ラック１８０は昇降する。
【００２２】
ここで本実施形態の特徴であるキッチン用昇降式吊戸棚の側板およびその周辺のフレーム材等の構造について説明する。図３は、図２の昇降ラック１８０の側板の拡大斜視図である。図３でも図２と同様に、下扉１７４は図示を省略している。
【００２３】
キャビネット１７０は、レンジフード１６０に隣接して配置された不燃性の側板として、不燃サイド化粧板２２０と、不燃サイド化粧板２２０の端面を取り巻くフレーム材２３０とを有する。フレーム材２３０は例えばステンレス製としてよい。一方、不燃性の不燃サイド化粧板２２０は、火山性ガラス質複層板である。
【００２４】
火山性ガラス質複層板は、その成分の大半が二酸化珪素（ＳｉＯ２）であり、その内部に僅かな水分を含んでいるため、熱を加えれば発泡するという特異な性質を有する。発泡すると、火山性ガラス質材料が本来有している不燃・耐候・耐水・耐久といった性質に、更に軽量・均質という物性が加わる。
【００２５】
その他、不燃サイド化粧板２２０は、例えばステンレスやメラミン化粧板としてもよいし、ガラス繊維不織布（水酸化アルミニウム含浸など）、水酸化アルミニウム・炭酸カルシウム積層板、けい酸カルシウム板（消灰石・珪石・珪藻土）、石膏ボードなどを用いてもよい。
【００２６】
なおフレーム材２３０の前面にはゴム製のパッキン２３２が設けられていて、これによってキャビネット１７０の防虫がなされている。
【００２７】
そして、不燃サイド化粧板２２０の表面は、フレーム材２３０と実質的に面一になっている。言い換えれば、不燃サイド化粧板２２０は、ほとんどフレーム材２３０と同一平面を構成するほど、フレーム材２３０が形成する枠体に収容されていて、不必要に突出していない。
【００２８】
図４は図３に示す本実施形態と比較例とを比較する図である。図４（ａ）は比較例を示し、図４（ｂ）は本実施形態を示す。いずれの図においても、レンジフード１６０からキャビネット１００までの間には、火災予防条例または消防法によって義務付けられている、距離ｄ１を設ける必要がある。
【００２９】
図４（ａ）の比較例によれば、不燃サイド化粧板２２０は、フレーム材２３０の外側に張り出している。したがって、不燃サイド化粧板２２０の厚さｄ２だけ、吊戸棚の収納スペースは幅方向に侵食されてしまっている。
【００３０】
一方、図４（ｂ）の本実施形態によれば、図３について説明したように、不燃サイド化粧板２２０は、ほとんどフレーム材２３０と同一平面を構成するため、図４（ａ）のような厚さｄ２にわたるスペースの損失がない。これは、レンジフード１６０から不燃サイド化粧板２２０までの距離と、レンジフード１６０からフレーム材２３０までの距離とが、実質的に距離ｄ１という等しい値になっているからである。なお、図４（ｂ）では、不燃サイド化粧板２２０は、フレーム材２３０が形成する枠体に収容されているため、見えていない。
【００３１】
このように、本実施形態によれば、不燃板を介在させるという法規上の規制を満たしつつ、限られた空間を効率的に利用して収納スペースを従来より多く確保することができる。
【００３２】
図５は図３に示す昇降ラック１８０の不燃サイド化粧板２２０等の組立図である。図５に示すように、不燃サイド化粧板２２０の内側にはさらに、フレーム材２３０を支持するフレーム支持板２４０が設けられている。フレーム支持板２４０は、例えばステンレス製としてよい。フレーム支持板２４０は、フレーム材２３０の内周に複数（図５では６個）設けられたＬ字型組立用金具２５０に当接することにより、フレーム材２３０を支持する。
【００３３】
そしてさらに、フレーム支持板２４０に当接することにより、不燃サイド化粧板２２０は、フレーム材２３０が形成する枠体に収容されるようにして組み立てられ、上述のように、フレーム材２３０と実質的に面一になる。
【００３４】
上記のフレーム材２３０は、不燃サイド化粧板２２０がなくとも、キャビネット１７０に歪みや変形が生じないよう、キャビネット１７０を支持する剛性を有する。かかる特徴により、キャビネット１７０のうち、レンジフード１６０が隣接しない反対側には、側板を取り付ける必要はない。
【００３５】
すなわち、不燃サイド化粧板２２０は、法規上の規制を満たすため、レンジフード１６０に隣接する側にのみ設ければよく、不燃サイド化粧板２２０をオプションとして扱うことが可能となる。したがって不燃サイド化粧板２２０は、吊戸棚１００を設置するキッチンの設置現場に、単体として搬入可能であり、必要に応じて、必要な場所にだけ、現場で取り付けることができる。
【００３６】
このように不燃サイド化粧板２２０は法規上の規制を満たしさえすれば、自由に着脱してよいものであり、不燃サイド化粧板２２０を設けない側には、安価な通常の化粧板を設けてよいし、他の吊戸棚を接続することによって、吊戸棚を延長することもできる。
【００３７】
図６は図３に示す昇降ラック１８０の不燃サイド化粧板２２０の部分拡大図である。図６に示すように、不燃サイド化粧板２２０には複数のザグリ孔２６０が開けられていて、この中にネジ穴が設けられ、さらに上記のＬ字型組立用金具２５０には雌ネジが切られている。これらにより、ネジ２７０およびワッシャ２８０によって、不燃サイド化粧板２２０とフレーム材２３０とは固定されている。なお、固定手段はネジに限られず、ボルト・ナットによる固定でもよい。
【００３８】
ザグリ孔２６０が設けられているのは、ネジ２７０の頭が突出しないようにし、美観と省スペース化とを保つためである。
【００３９】
なお、本実施形態では、不燃サイド化粧板２２０の厚さは１５ｍｍ程度であるが、その地方における法規上の規制を充足できる厚さであればよく、例えば東京都であれば、９ｍｍの厚さで足りる。
【００４０】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４１】
本発明は、システムキッチンの上方の壁面に設けられる吊戸棚であって、内部に昇降ラックを収納するキッチン用昇降式吊戸棚に適用可能である。
【図面の簡単な説明】
【００４２】
【図１】本発明の実施形態であるキッチン用昇降式吊戸棚およびシステムキッチンの全体図である。
【図２】図１の昇降ラックの昇降機構を示す図である。
【図３】図２の昇降ラックの不燃サイド化粧板の拡大斜視図である。
【図４】図３に示す本実施形態と比較例とを比較する図である。
【図５】図３に示す昇降ラックの不燃サイド化粧板の組立図である。
【図６】図３に示す昇降ラックの不燃サイド化粧板の部分拡大図である。
【符号の説明】
【００４３】
１００  キッチン用昇降式吊戸棚
１６０  レンジフード
１７０  キャビネット
１８０  昇降ラック
２２０  不燃サイド化粧板
２３０  フレーム材
２４０  フレーム支持板
【図１】
0005311773.tif 000002
【図２】
0005311773.tif 000003
【図３】
0005311773.tif 000004
【図４】
0005311773.tif 000005
【図５】
0005311773.tif 000006
【図６】
0005311773.tif 000007